(57)【要約】【課題】ユーザー端末に情報を預け置き配置できる情報配信システムの提供。【解決手段】メイン管理サーバからの指示によってインターネットに接続する情報配信システム利用ユーザー端末への定期的および／または非定期的な、あらかじめ指定された個別の特定要望情報パッケージの配信と表示機能を付随させ、あらかじめ指定された個別の特定要望情報パッケージそのものを一定期間ユーザー端末に預け置き配置する。一定の配置期間終了時点でパッケージ情報を消去させると同時に、新しい個別の特定要望情報パッケージをユーザー端末に入れ替え配置し表示処理を行う。一定の配置期間内においてユーザーが使用した単体情報単位毎に使用した分だけ課金処理する。ユーザーへの個別の特定要望情報パッケージ配信と配置は、ユーザー間のピアトウピア方式活用による配信配置と、メイン管理サーバから直接配信配置する方法を併用することで実現する。【選択図】  図１
2004280767.tif 000002
【特許請求の範囲】
【請求項１】
配信サービスを提供する事業者等により運営されるインターネットを活用した情報配信システムにおいて、ユーザーが自ら所望する音楽・映像・文字等で表現される各種情報カテゴリーから、あらかじめ指定した個別の特定要望情報パッケージのユーザー端末への配信と端末画面へのプレイヤーソフトの表示機能を付随させた、あらかじめ指定された個別の特定要望情報パッケージそのものを定期的および／または非定期的に配信し、一定期間ユーザー端末に預け置き配置し、一定の配置期間終了時点で預け置いていたパッケージ情報を消去させると同時に新しい個別の特定要望情報パッケージをユーザー端末に入れ替え配置し、プレイヤーソフトの端末画面での表示処理を行うことを以ってユーザーへの情報配信サービスの提供を図ることを特徴とするピアトウピア方式を活用したユーザーがあらかじめ指定した個別の特定要望情報パッケージ表示機能を有するユーザー端末配置型情報配信システムの提供。
【請求項２】
前記、本ピアトウピア方式を活用したユーザーがあらかじめ指定した個別の特定要望情報パッケージ表示機能を有するユーザー端末配置型情報配信システムにおいて、定期的および／または非定期的な管理サーバからの指示による個別ユーザー毎の特定要望情報パッケージのユーザー端末への配信と端末画面でのプレイヤーソフト表示機能を付随させ、一定期間ユーザー端末に預け置き配置し、一定の配置期間終了時点で預け置いていたパッケージ情報を消去させると同時に新しい個別の特定要望情報パッケージをユーザー端末に入れ替えて、プレイヤーソフトの表示処理を行う場合に、個別のユーザーが自らあらかじめ設定した音楽・映像・文字等で表現される各種情報カテゴリーの全情報を管理サーバから直接ユーザー端末に配信するのではなく、個別のユーザーがあらかじめ指定した各種情報カテゴリーに共通する情報を全て有する任意の他の不特定多数の本システム利用ユーザー端末からのピアトウピア方式活用による手段と、共通する一部の情報を有する任意の他の不特定多数の本システム利用ユーザー端末からピアトウピア方式活用による手段を用いて、個別のユーザー端末への情報配信とユーザーがあらかじめ指定した個別の特定要望情報パッケージ表示と、預け置いていたパッケージ情報を消去させると同時に新しい個別の特定要望情報パッケージをユーザー端末に入れ替え配置し、プレイヤーソフトの表示処理を行うことを特徴とする請求項１記載のピアトウピア方式を活用したユーザーがあらかじめ指定した個別の特定要望情報パッケージ表示機能を有するユーザー端末配置型情報配信システムの提供。
【請求項３】
請求項１記載の情報配信システムにおいて、本ピアトウピア方式を活用したユーザーがあらかじめ指定した個別の特定要望情報パッケージ表示機能を有するユーザー端末配置型情報配信システムにおいて、定期的および／または非定期的な管理サーバからの指示による個別ユーザー毎の個別特定要望情報パッケージのユーザー端末への配信と端末画面でのプレイヤーソフトの表示と情報配信機能を付随させ、一定期間ユーザー端末に預け置き配置し、一定の配置期間終了時点でパッケージ情報を消去させると同時に、新しい個別の特定要望情報パッケージをユーザー端末に入れ替え配置し、プレーヤーソフトの表示処理を行う場合に、個別のユーザーが自ら設定した音楽・映像・文字等で表現される各種情報カテゴリーの全情報を管理サーバから直接ユーザー端末に配信する手段と、個別のユーザーがあらかじめ設定した各種情報カテゴリーに共通する情報を全て有する任意の他の不特定多数の本システム利用ユーザー端末からのピアトウピア方式活用による手段と、共通する一部の情報を有する任意の他の不特定多数の本システム利用ユーザー端末からピアトウピア方式活用による手段を用いて、個別のユーザー端末への情報配信とユーザーがあらかじめ指定した個別の特定要望情報パッケージ表示と、一定の配置期間終了時点でパッケージ情報を消去させると同時に新しい個別の特定要望情報パッケージをユーザー端末に入れ替え配置し、プレイヤーソフトの表示処理を行うことを特徴とするピアトウピア方式を活用したユーザーがあらかじめ指定した個別の特定要望情報パッケージ表示機能を有するユーザー端末配置型情報配信システムの提供。
【請求項４】
請求項１〜３いずれか記載の情報配信システムにおいて、定期的および／または非定期的な管理サーバからの指示による個別ユーザー毎の特定要望情報パッケージのユーザー端末への配信と端末画面でのプレイヤーソフトの表示と情報配信機能を付随させ、一定期間ユーザー端末に預け置き配置し、一定の配置期間終了時点でパッケージ情報を消去させると同時に新しい個別の特定要望情報パッケージをユーザー端末に入れ替え配置して表示処理を行う場合に、一定の配置期間内にユーザーが使用した単体情報分毎に有料課金を図れることを特徴とするピアトウピア方式を活用したユーザーがあらかじめ指定した個別の特定要望情報パッケージ表示機能を有するユーザー端末配置型情報配信システム。
【請求項５】
請求項１〜４いずれか記載の情報配信システムにおいて、本ピアトウピア方式を活用したユーザーがあらかじめ指定した個別の特定要望情報パッケージ表示機能を有するユーザー端末配置型情報配信システムにおいて、定期的および／または非定期的な管理サーバからの指示による個別ユーザー毎の特定要望情報パッケージのユーザー端末への配信と端末画面へのプレイヤーソフトの表示と情報配信機能を付随させ、一定期間ユーザー端末に預け置き配置し、一定の配置期間終了時点でパッケージ情報を消去させると同時に新しい個別の特定要望情報パッケージをユーザー端末に入れ替え配置して表示処理を行う場合に、個別のユーザーが自ら設定した音楽・映像・文字等で表現される各種情報カテゴリーの全情報を管理サーバから直接ユーザー端末に配信する手段と、個別のユーザーがあらかじめ設定した各種情報分野に共通する情報を全て有する任意の他の不特定多数の本システム利用ユーザー端末からのピアトウピア方式活用による手段と、共通する一部の情報を有する任意の他の不特定多数の本システム利用ユーザー端末からピアトウピア方式活用による手段を用いて、個別のユーザー端末への情報配信とユーザーがあらかじめ指定した個別の特定要望情報パッケージの端末への配信と端末画面へのプレイヤーソフトの表示と、一定の配置期間終了時点でパッケージ情報を消去させると同時に新しい個別の特定要望情報パッケージをユーザー端末に入れ替え配置して表示処理を行うことを特徴とするピアトウピア方式を活用したユーザーがあらかじめ指定した個別の特定要望情報パッケージ表示機能を有するユーザー端末配置型情報配信装置。
【請求項６】
請求項１〜４記載の情報配信システムにおいて、本ピアトウピア方式を活用したユーザーがあらかじめ指定した個別の特定要望情報パッケージ表示機能を有するユーザー端末配置型情報配信システムにおいて、サーバ側において一定の条件に基づいたアルゴリズムを、定期的および／または非定期的な管理サーバからの指示による個別ユーザー毎の特定要望情報パッケージのユーザー端末への配信と端末画面へのプレイヤーソフトの表示と端末への情報配信を付随させる手段と、一定期間ユーザー端末に預け置き配置する手段と、一定の配置期間終了時点で前者のパッケージ情報を消去させると同時に新しい個別の特定要望情報パッケージをユーザー端末に入れ替えて配置し画面でのプレイヤーソフト表示処理を行う手段と、一定の配置期間内にユーザーが使用した単体情報分毎に有料課金を図れる手段とを、個別のユーザーが自ら設定した音楽・映像・文字等で表現される各種情報カテゴリーの全情報を管理サーバから直接ユーザー端末に配信する手段と、個別のユーザーがあらかじめ設定した各種情報カテゴリーに共通する情報を全て有する任意の他の不特定多数の本システム利用ユーザー端末からのピアトウピア方式活用による手段と、共通する一部の情報を有する任意の他の不特定多数の本システム利用ユーザー端末からピアトウピア方式活用による手段を用いて、情報配信するプログラムを置き換えていく機能を備えることを特徴とするピアトウピア方式を活用したユーザーがあらかじめ指定した個別の特定要望情報パッケージ表示機能を有するユーザー端末配置型情報配信システムに使用するミドルウェア。
【発明の詳細な説明】
【０００１】
【発明の属する技術分野】この発明は、インターネットを活用した情報配信システムに関するものである。
【０００２】
【従来の技術】従来、インターネット上の情報配信システムにおいては、情報配信サービスの提供を希望するユーザー側からの、情報配信サービスを提供する側の管理サーバサイトへのアクセスと所定情報の入力作業後、氏名や住所情報等の最初のユーザー情報の登録時および変更時、また所望する必要情報分野の最初の設定時と変更時のユーザー端末からのメイン管理サーバサイトへのアクセスが必要であった。特にユーザーが必要情報を入手したい時点での都度のユーザー端末からのメイン管理サーバサイトへのアクセスが必ず必要な作業であった。個別のユーザーがあらかじめ設定した内容に基づいての、自ら所望する音楽・映像・文字等で表現される各種情報分野の情報の定期的および／または非定期的な管理サーバからの個別の指示によるユーザー毎の個別の特定要望情報パッケージのユーザー端末への情報配信と表示と預け置き配置、また個別の特定要望情報パッケージの入れ替え時点での消去と同時の新規の個別の特定要望情報パッケージの定期的および／または非定期的な入れ替え機能を有する情報配信サービスシステムはなかった。またインターネット上の有料情報カテゴリーを含む情報配信システムにおいては、同一の情報配信サービスを利用するユーザー端末同士相互間でのピアトウピア方式を活用した、個別の特定情報パッケージの配信と表示と預け置き配置、また個別の特定要望情報パッケージの入れ替え時点での消去と同時の新規の個別の特定要望情報パッケージの定期的および／または非定期的な入れ替え機能を有する情報配信システムは存在しなかった。
【０００３】
【発明が解決しようとする課題】本発明においては、インターネット上の情報配信システムにおいて、情報配信を希望するユーザー個別の音楽・映像・文字等で表現される各種情報分野の特定情報を、定期的および／または非定期的な管理サーバからの指示によって個別ユーザー毎のユーザーがあらかじめ指定した個別の特定要望情報パッケージのユーザー端末への配信と表示と預け置き配置、個別の特定要望情報パッケージの入れ替え時点での消去と同時の新規の個別の特定要望情報パッケージの配置サービスを、一定の配置期間内にユーザーが使用した単体情報分毎に有料課金を図る手段と、同一システムを利用するユーザー端末同士のピアトウピア方式と管理サーバからの直接配信による方法を併用することを特徴とするユーザー端末配置型情報配信システムで実現する。
【０００４】
【課題を解決する為の手段】そこで本発明では、インターネットを活用したユーザー端末配置型情報配信システムに関し、情報配信を希望するユーザー個別の音楽・映像・文字等で表現される各種情報分野の特定情報を、定期的および／または非定期的な管理サーバからの指示によって個別ユーザー毎のユーザーがあらかじめ指定した個別の特定要望情報パッケージのユーザー端末への情報送信と入れ替え配置と表示手段ならびに入れ替え配置時点での個別の特定要望情報パッケージの消去と同時の新規の個別の特定要望情報パッケージの配置によりユーザーの利便性を向上させ、同一システムを利用するユーザー端末同士のピアトウピア方式を活用したユーザー端末配置型情報配信システムで管理サーバ側の帯域保証負担の容量の軽減等を実現するものである。本ユーザー端末配置型情報配信システムの基本構成はインターネットと管理サーバ、利用ユーザー端末とピアトウピア方式そしてユーザーがあらかじめ指定した個別の特定要望情報パッケージの配信と表示機能と一定期間のユーザー端末への預け置き配置機能と、一定の配置期間終了時点でパッケージ情報を消去させる機能と、新しい個別の特定要望情報パッケージをユーザー端末に入れ替え配置する機能から成り、一定の配置期間においてユーザーが使用した単体情報単位毎に使用した分だけ課金処理する機能で構成される。ユーザーへの個別の特定要望情報パッケージ配信と配置は、ユーザー間のピアトウピア方式活用による配信配置と、メイン管理サーバから直接配信配置する方法を併用することで実現できる。以下本システム利用の流れを述べる。本システム利用希望のユーザーが本システムサイト管理サーバにインターネットを通じてユーザー端末からアクセスする。システム利用希望のユーザーはシステム利用のための氏名・住所・イーメールアドレス情報等の属人情報の入力と管理サーバへの送信作業を実施してユーザー登録を完了する。この際同時に本システム内ピアトウピアシステムの根幹であるところの同一システムのシステム利用ユーザー同士相互間でのピアトウピア方式による情報の受信配信の許諾を含む情報配信サービスのシステム利用規約を承諾し同意する。次にサイト管理サーバ内において、ユーザー自身が情報配信を希望する趣味や嗜好や目的に応じた音楽・映像・文字等によって表現された管理サイト内に設定されている各種情報分野を検索する。検索した各種情報分野を選択し配信を希望する個別の特定要望情報としての設定をおこなう。この時点で設定された個別ユーザーの趣味、嗜好、目的に応じた各種情報分野は、個別の特定要望情報としてサイト管理サーバ内にユーザー毎に記録される。以降この個別の特定要望情報はサイト管理サーバの指示によって、ユーザー登録されたユーザー端末に定期的および／または非定期的に配信され、ユーザー端末画面にプレイヤーソフトとして表示される。これを個別の特定要望情報パッケージとする。この複数の分野情報が入力されている状態のユーザーがあらかじめ指定した個別の特定要望情報パッケージがプレイヤーソフトとして自身が普段使用する端末の画面に表示されたユーザーは、ユーザーの任意の意思で自分だけのユーザーがあらかじめ指定した個別の特定要望情報パッケージから好みの情報を選択することができ、いつでも自身だけの個別の特定要望情報を活用し楽しむことができる。また、サイト管理サーバにアクセスし所定の操作を実施することで自身個別の特定要望情報の内容変更も容易に実施できる。このユーザーがあらかじめ指定した個別の特定要望情報パッケージがプレイヤーソフトとして２４時間３６５日常時ユーザー端末画面に表示される機能によって利用ユーザー自身があらかじめ興味・関心・必要がある自分だけの情報活用と情報入手をタイムリーに図れることが、都度のサイト管理サーバへのアクセスと所定の手続の必要なく実現できる。また、情報配信サービスの提供者側においては、同一システムのシステム利用ユーザー同士の相互間でのピアトウピア方式活用による情報の受信ならびに情報配信という本システム独自のシステム利用により、特定するユーザーへの、ユーザーがあらかじめ指定した個別の特定要望情報パッケージの生成と配信が迅速に実施でき、ユーザー端末画面でのプレイヤーソフトの円滑で迅速な表示が可能である。定期的および／または非定期的なサイト管理サーバからの指示による個別ユーザー毎の個別の特定要望情報パッケージのユーザー端末への配信と表示と預け置き配置の場合と、預け置いている個別の特定要望情報パッケージの消去と同時の新規の個別の特定要望情報パッケージの入れ替えの場合に、個別のユーザーが自ら設定した音楽・映像・文字等で表現される各種情報分野の全情報を管理サーバから逐一個別に配信する必要がなくなり、管理サーバと多数のシステム利用ユーザー端末とのアクセス時に必要な大きな容量の帯域保証負担も軽減される。本システム利用のユーザー端末には、常時ユーザーがあらかじめ指定した個別の特定要望情報パッケージがプレイヤーソフトとして表示されていることになりユーザー本位のシステム利用が図れるのである。また定期的および／または非定期的な管理サーバからの指示による個別ユーザー毎の特定要望情報パッケージのユーザー端末への配信と端末画面でのプレイヤーソフト表示機能を付随させた、一定期間ユーザー端末に預け置き配置し、一定の配置期間終了時点でパッケージ情報を消去させると同時に新しい個別の特定要望情報パッケージをユーザー端末に入れ替え配置して表示処理を行う場合に、一定の配置期間内にユーザーが使用した単体情報分毎に有料課金を図る手段により課題を解決することができる。
【０００５】
【発明の実施の形態】本発明は、配信サービスを提供する事業者等により運営されるインターネットを活用したユーザー端末配置型情報配信システムに関するものである。本情報配信システムの構成は図１に示す通りである。以下図に基づき実施例を詳述する。図２の本システムの処理手順を示す系統図に示す通り、通常は図２の手順を経て、本システムの利用希望ユーザー（Ｈ）が、本システムサイト管理サーバ群（Ａ）にインターネット（Ｂ）ユーザー端末（Ｃ）でアクセスし、配信サービス利用のための氏名・住所・イーメールアドレス情報等の属人情報登録（４）と本システムサイト管理サーバ群（Ａ）への送信作業を実施してユーザー登録完了（５）する。この時同時に同一システムのシステム利用ユーザー同士（Ｎ）の相互間でのピアトウピア方式（Ｐ）による情報の受信ならびに情報配信の許諾を含む情報配信サービスのシステム利用規約内容を承諾し同意する。また、サイト管理サーバ群（Ａ）内において、ユーザー自身が定期的および／または非定期的に情報配信を希望する音楽・映像・文字等によって表現された各種情報分野登録（６）と特定要望情報登録（７）を実施する。この時点で設定された個別ユーザーの属人情報登録（４）情報と各種情報分野登録（６）情報と特定要望情報登録（７）情報は、ユーザー個別の情報としてサイト管理サーバ群（Ａ）内に記録される。この内特定要望情報登録（７）情報は、個別の特定要望情報パッケージ（Ｋ）として、以降はサイト管理サーバ群（Ａ）の指示によって，登録されたユーザー端末に定期的および／または非定期的に配信され、ユーザー端末（Ｃ）に預け置き配置され、ユーザー端末画面（Ｄ）にプレイヤーソフト（Ｓ）として表示される。個別の特定要望情報パッケージ（Ｋ）がプレイヤーソフト（Ｓ）として自身が使用する端末画面（Ｃ）に表示されたユーザーは、ユーザーの任意の意思で個別の特定要望情報パッケージ（Ｋ）から好みの情報を選択し、いつでも自身だけの個別の情報を楽しむことができる。また、サイト管理サーバ群（Ａ）にアクセスし所定の操作を実施することで個別の特定要望情報登録（７）情報の内容変更も容易にできる。この個別の特定要望情報パッケージ（Ｋ）がプレイヤーソフト（Ｓ）として常時ユーザー端末画面（Ｄ）に表示される機能によって、利用ユーザー自身があらかじめ興味・関心がある自分だけのタイムリーな情報活用と情報入手を図ることが、都度のサイト管理サーバ群（Ａ）へのアクセスと所定の手続必要なしで実現できる。また、情報配信サービスにおいて、同一システムのシステム利用ユーザー同士（Ｎ）の相互間でのピアトウピア方式（Ｐ）による情報の受信ならびに情報配信での、本システムによる情報配信サービスシステムの活用によって、特定するユーザーへの個別の特定要望情報パッケージ（Ｋ）の生成と配信が迅速に実施でき、プレイヤーソフト（Ｓ）の円滑な表示が可能になる。また、このピアトウピア方式（Ｐ）の活用によって定期的および／または非定期的なサイト管理サーバ（Ａ）からの指示による個別ユーザー毎の個別の特定要望情報パッケージ（Ｋ）のユーザー端末（Ｃ）への配信と預け置き配置ならびにユーザー端末画面（Ｄ）への表示の場合に、個別のユーザーが自ら設定した音楽・映像・文字等で表現される各種情報分野の全情報を管理サーバから逐一個別に直接配信する必要がなくなり、管理サーバ群（Ａ）と多数の同一システム利用の他ユーザー（Ｑ）（Ｒ）（Ｔ）（Ｕ）（Ｖ）（Ｗ）とのアクセス時に必要な大きな容量の帯域保証負担も軽減される。また個別の特定要望情報パッケージ（Ｋ）のユーザー端末への一定の配置期間内にユーザーが使用した単体情報分毎に課金・購入（９）を図る手段により課題を解決することができる。本システム利用のユーザー端末（Ｃ）には常時個別の特定要望情報パッケージ（Ｋ）が配置され、ユーザー端末画面（Ｄ）にはプレイヤーソフト（Ｓ）が表示され、より円滑で快適なシステム利用が実現できる。
【０００６】
【発明の効果】以上、本発明によって、インターネット上の配置型ユーザー端末配置型情報配信システムにおいて、情報配信サービスを利用するユーザー側からの情報入手必要時点での管理サイトへの都度のアクセス行為と所定の操作の必要がなくなる。また、自身が利用するユーザー端末に定期的および／または非定期的に配信されるあらかじめ設定の、ユーザーがあらかじめ指定した個別の特定要望情報パッケージがプレイヤーソフトとして表示されることによって複数の分野情報からの選択と活用がユーザー端末内だけの操作で可能になる。これによって、楽曲・映画・ニュース等の情報配信サービス利用ユーザーの利便性の向上が図れる。また、同一システムを利用するユーザー同士相互間におけるピアトウピアシステムの活用によってシステム管理者サイト側の帯域保証や個別のユーザーの求めに応じた情報配信に係るコストを大幅に削減することができる。また一定の配置期間内にユーザーが使用した単体情報分毎に有料課金を図る手段によって、本システムを利用する側のより快適で円滑迅速な情報配信サービスの享受と、配信サービスを提供する側のより安価な価格でのシステム利用料金の設定が実現できる。
【図面の簡単な説明】
【図１】本発明の全体構成例を示す構成図である。
【図２】本発明の処理手順を示す系統図である。
【図３】本発明の個別の要望情報パッケージをユーザー端末に表示するプレイヤーソフト表示の音楽情報の実施例図。
【図４】本発明利用希望ユーザーの登録からシステム利用ユーザーがコンテンツを購入するまでのフローおよびピアトウピア方式での配信配置表示フロー。
【図５】本発明システムの利用ユーザー同士の相互間ピアトウピア機能図。
本発明のシステム図
【符号の説明】
（Ａ）    管理サーバ群
（Ｂ）    インターネット
（Ｃ）    ユーザー端末
（Ｄ）    ユーザー端末画面
（Ｈ）    利用希望ユーザー
（Ｋ）    特定要望情報パッケージ
（Ｎ）    システム利用ユーザー
（Ｐ）    ピアトウピア方式
（Ｑ）    同一システム利用の他ユーザー
（Ｒ）    同一システム利用の他ユーザー
（Ｔ）    同一システム利用の他ユーザー
（Ｕ）    同一システム利用の他ユーザー
（Ｖ）    同一システム利用の他ユーザー
（Ｗ）    同一システム利用の他ユーザー
（Ｓ）    プレイヤーソフト
（１）    配信
（２）    配置
（３）    表示
（４）    属人情報登録
（５）    登録完了
（６）    各種情報分野登録
（７）    特定要望情報登録
（８）    試聴
（９）    課金・購入
（１０）  購入確認支払い指示
（１１）  再生
（１２）  特定要望情報パッケージ配信・配置・表示
（１３）  時限自動抹消
（１４）  要望コンテンツ単体
（１５）  要望分野コンテンツ
【図１】
2004280767.tif 000003
【図２】
2004280767.tif 000004
【図３】
2004280767.tif 000005
【図４】
2004280767.tif 000006
【図５】
2004280767.tif 000007